Podtech/llm-jp-corpus-v4-ja_patent huggingface dataset:
(57)【要約】【課題】ショーケースの熱負荷を増加させることなしに、加湿器で生成したミストを庫内に送り込んで加湿できれるように加湿器の配管経路を改良する。【解決手段】ショーケースのケース本体１に加湿器７を搭載し、該加湿器で生成したミストを搬送気流と一緒に庫内に送り込んで加湿するようにしたショーケースにおいて、加湿器７をケース本体の基台１ａに搭載した上で、該加湿器に接続した送霧管８を庫内側に画成した冷気循環ダクト４の冷気吹出口側に、吸気管９は冷気循環ダクトの冷気吸込側に開口して配管して庫内側から取り込んだ低温の空気を加湿器に導入し、この導入空気を搬送気流として加湿器で生成したミストと一緒に庫内に送り込んで商品（生鮮食料品など）加湿するようにする。【選択図】図１
2007159755.tif 000002
【特許請求の範囲】
【請求項１】
加湿器を搭載し、該加湿器で生成したミストを搬送気流と一緒に庫内に送り込んで加湿するようにしたショーケースにおいて、
前記搬送気流の空気を庫内側より取り込んで加湿器に導入し、加湿器で生成したミストと一緒に庫内に送り込むようにしたことを特徴とするショーケース。
【請求項２】
請求項１に記載のショーケースにおいて、加湿器をショーケースの本体底部側に搭載した上で、該加湿器に接続した送霧管を庫内側に画成した冷気循環ダクトの冷気吹出口側に、吸気管を冷気循環ダクトの冷気吸込側に開口して配管したことを特徴とするショーケース。
【発明の詳細な説明】
【技術分野】
【０００１】
本発明は、生鮮食料品の陳列に適用する加湿器付きの冷蔵ショーケースに関する。
【背景技術】
【０００２】
生鮮食料品を陳列する冷蔵ショーケースにおいては、食料品の乾燥による劣化を防ぐために、ショーケースに加湿器（例えば、超音波式加湿器）を付設し、加湿器で生成したミストを庫外から取り込んだ外気と一緒に庫内に送り込んで庫内空気を加湿するようにしている（例えば、特許文献１，特許文献２参照）。
【特許文献１】特開平９−４９６３号公報（図９）
【特許文献２】特開平１０−２６３９０９号公報（図５）
【発明の開示】
【発明が解決しようとする課題】
【０００３】
前記の特許文献１，特許文献２に開示されている従来のショーケースでは、加湿器で生成したミストを庫内に送り込む搬送気流として、庫内の冷蔵温度よりも高温な周囲の外気を使用していることから、庫内に送り込んだ高温の外気が熱負荷として加わってショーケースの冷蔵能力を低下させるほか、衛生管理面でも店内空気に含まれている様々な雑菌がミストと一緒にショーケースに送り込まれて庫内を汚染するおそれがあると言った問題がある。
本発明は上記の点に鑑みなされたものであり、その目的はショーケースの熱負荷を増加することなしに加湿器で生成したミストを庫内に噴霧して加湿でき、かつ衛生面での改善も図れるように加湿器の配管経路を改良したショーケースを提供することにある。
【課題を解決するための手段】
【０００４】
上記目的を達成するために、本発明によれば、加湿器を搭載し、該加湿器で生成したミストを搬送気流と一緒に庫内に送り込んで加湿するようにしたショーケースにおいて、
前記搬送気流の空気を庫内側より取り込んで加湿器に導入し、加湿器で生成したミストと一緒に庫内に送り込むようにするものとし（請求項１）、その具体的な態様として前記加湿器をショーケースの本体底部側に搭載した上で、該加湿器に接続した送霧管を庫内側に画成した冷気循環ダクトの冷気吹出口側に、吸気管を冷気循環ダクトの冷気吸込側に開口して配管する（請求項２）。
【発明の効果】
【０００５】
上記の構成によれば、庫内側から取り込んだ低温の空気を加湿器の搬送気流として加湿器で生成したミストを庫内に送り込むようしたことにより、庫内温度に比べて温度の高い庫外空気を搬送気流としてミストを庫内に送り込むようにした従来方式と比べて熱負荷増加を大幅に低減してショーケースの冷蔵能力が向上できるほか、店内空気を庫内に送り込まないので衛生管理面での改善も図れる。
【発明を実施するための最良の形態】
【０００６】
以下、平形オープンショーケースを例に、本発明の実施の形態を図示の実施例に基づいて説明する。図１において、１は断熱筐体になる上面開放形のケース本体、１ａはケース本体１の基台、２は内箱、３は庫内底部に配したデッキパン、４は内箱２とケース本体１との間に画成した冷気循環ダクト４ａは冷気吹出口、４ｂは冷気吸込口、５は冷気循環ダクト４に配置した冷却器（冷凍機のエバポレータ）、６は冷気を循環送風する庫内ファンであり、周知のようにショーケースの保冷運転時には冷却器５と熱交換した冷気が矢印Ａのように庫内側を循環し、ケース本体１の上面に冷気エアカーテンを吹き出し形成して内箱２に収容した商品（生鮮食料品など）を保冷する。
一方、本体底部の基台１ａには加湿器（超音波式加湿器）７が配置されており、該加湿器７に接続した送霧管８，吸気管９のうち、送霧管８は本体ケース１の底壁を貫通して冷気循環ダクト４の冷気吹出口側（冷却器５の下流側）に吐出口８ａが開口するように配管し、吸気管９はその吸込口９ａを冷気循環ダクト４の冷気吸込側（庫内ファン６の上流側）に開口して配管されている。これにより、冷気循環ダクト４には冷却器５，庫内ファン６をバイパスし、吸気管９，加湿器７，送霧管８を経由して加湿器７で生成したミストを庫内に送り込む経路が形成されることになる。
【０００７】
上記の構成でショーケースの保冷運転時に加湿器７を稼働すると、吸気管９より取り込んで加湿器７に導風される低温の冷気をミストの搬送気流として、加湿器７で生成したミストが点線矢印Ｂで表すように送霧管８を通じて冷気循環ダクト４に吐き出された後、受管冷気に乗って冷気吹出口４ａから庫内側に噴霧されて庫内の収容商品を加湿する。
この場合に、加湿器７で生成したミストの搬送気流を庫内から取り込んで庫内へ戻すように循環送風したのでショーケースの熱負荷が増加することはなく、ショーケースの周囲から取り込んだ空気と一緒にミストを庫内に送り込むようにした従来方式と比べてショーケースの冷蔵能力が向上するし、また雑菌などで汚染された外気を取り込むことがないので衛生面も改善される。
なお、図１の構成では、加湿器７に接続した送霧管８，吸気管９を冷気循環ダクト４の途中に開口し、この冷気循環ダクト４を経由してミストを庫内に送り込むようにしているが、応用実施例として送霧管８，吸気管９の開口端を内箱２の内方に直接開口するように配管してミストを庫内に直接噴霧するようにしてもよい。また、図示実施例は平形オープンショーケースを例示したが、庫内に陳列棚を配備した多段形オープンショーケースにも同様に実施適用できることは勿論である。
【図面の簡単な説明】
【０００８】
【図１】本発明の実施例による平形オープンショーケースの構成図
【符号の説明】
【０００９】
１    ケース本体
１ａ  基台（本体底部）
２    内箱
４    冷気循環ダクト
４ａ  冷気吹出口
４ｂ  冷気吸込口
５    冷却器
７    加湿器
８    送霧管
９    吸気管
【図１】
2007159755.tif 000003
(57)【要約】【課題】  聾唖者においては、外出時に発生した事件・事故などのトラブルへの迅速な対応が困難であった。携帯電話のメール機能を利用した伝達方法は可能であったが、緊急時に聾唖者自らが通知情報を簡潔にまとめることが困難なうえ、通信状態により通知時間がかかり、現実的ではなかった。【解決手段】  聾唖者が緊急時連絡を必要とする際、携帯電話から緊急通知用画面にインターネットを通じてアクセスし、発信者位置情報とともに緊急通知の種類、緊急連絡項目を選択又は書き込んだ文字情報をホストコンピュータへ送信することにより、送信された緊急連絡情報はホストコンピュータ内において連絡内容を処理し、通知先として最適な機関の通知専用画面へ情報表示させることにより、聾唖者は容易に要望する連絡通知先へ連絡することができる。【選択図】図１
2007159074.tif 000002
【特許請求の範囲】
【請求項１】
聾唖者が緊急時の連絡を必要とする際、携帯している携帯電話から緊急通知用画面にインターネットを通じてアクセスし、発信者位置情報とともに緊急通知の種類、緊急連絡項目を選択又は書き込んだ文字による緊急通知情報をホストコンピュータへ送信する。送信された緊急連絡情報はホストコンピュータ内において事故・病気・けが・災害・事件・場所・当事者・応援要請先・具体的情報等の連絡内容を処理し、通知先として最適な機関へ通知するコンピュータ装置による聾唖者向け緊急通知システム。
【発明の詳細な説明】
【技術分野】
【０００１】  本発明は、緊急通知の種類、緊急連絡項目を選択又は書き込んだ内容を専門知識を有さない聾唖者が発声と聴力の代わりに文字情報を送信された緊急連絡情報はホストコンピュータ内において事故・病気・けが・災害・事件・場所・当事者・応援要請先・具体的情報等の連絡内容を処理し、通知先として最適な機関へ通知するシステムに関するものである。
【背景技術】
【０００２】  発声と聴力を有さない聾唖者にとって緊急通知の内容は音声により通知されるものであったため、位置情報は通知できてもその具体的な対応ができなかった。（例えば、特許文献１参照）【０００３】  また、緊急管理センターへの接続により、緊急通報を受けるものもあるが、警察署・消防署など最適な対応機関へのダイレクトな通信でないため時間差が生じ、迅速な対応ができなかった。（例えば、特許文献２参照）【０００４】  聾唖者も健常者と同等に遭遇しうる事故・病気・けが・災害・事件を最適な機関へ、迅速に場所・当事者・応援要請先・具体的情報等を通知する必要があった。
【特許文献１】特許公開２００３−１９８７５８号  公報
【特許文献２】特許公開２００４−１８７２５５号  公報
【発明の開示】
【発明が解決しようとする課題】
【０００５】  解決しようとする問題点は、発声と聴力を有さない聾唖者が遭遇しうる事故・病気・けが・災害・事件を最適な機関へ場所・当事者・応援要請先・具体的情報等を迅速に通知したい要求に対し、本発明はこれらを解決するためになされたものである。
【課題を解決するための手段】
【０００６】  本発明は、携帯電話から緊急通知用画面にインターネットを通じてアクセスし、発信者位置情報とともに緊急通知の種類、緊急連絡項目を選択又は書き込んだ文字情報をホストコンピュータへ送信する。【０００７】  送信された文字による緊急連絡情報はホストコンピュータ内において事故・病気・けが・災害・事件・場所・当事者・応援要請先・具体的情報等の連絡内容を処理し、通知先として最適な機関へ聾唖者が選択又は書き込んだ文字情報を通知することにより聾唖者は容易に要望する連絡通知先へ連絡することができる。
【発明の効果】
【０００８】  本発明の聾唖者向け緊急通知システムは、言葉で困難であった緊急時の連絡を携帯電話の発信者位置情報通知機能とインターネットを利用し簡易に実現可能とし、発声と聴力を有さないで緊急通知の種類、緊急連絡項目情報を簡潔にまとめ、最適な機関にに正確な状況を通知し、応援を要請することができる。
【発明を実施するための最良の形態】
【実施例】
【０００９】  以下に、本発明に係る携帯電話による聾唖者向け緊急通知システムの望ましい実施の形態を、図１〜図３に基づいて説明する。【００１０】  予め聾唖者認定された携帯電話に緊急通知システムのＵＲＬを登録しておき、緊急通知を行わなければならない状況が起こった場合、図１にある通りそのＵＲＬへログインする。またはメニューから通信を開始の際、携帯製造番号によるログイン機能を有する。これは、いたずら防止及び通知先からの本人確認無しによる通知を可能とする。【００１１】  ログインされると同時に緊急システムホストサーバーがシステム通信を開始し、本人情報および発信者位置情報通知機能により場所を確認・登録することができる。【００１２】  通信開始後、聾唖者が発声と聴力の代わりに事故・病気・けが・災害・事件といった緊急通知の種類と場所・当事者・応援要請先・具体的情報等といった緊急連絡項目の文字情報をホストコンピューターへ送信することができる。【００１３】  緊急連絡情報はホストコンピュータ内において事故・病気・けが・災害・事件・場所・当事者・応援要請先・具体的情報等の連絡内容に分別処理され、通知先として予めシステムに登録されている最適な機関へ通知される。【００１４】  送信された情報はインターネット経由で応援要請機関が予め選択した「ＷＥＢブラウザ」「ＷＥＢメール」「ＦＡＸ」「自動音声電話」のいずれかで通知することができる。【００１５】このように聾唖者が簡潔に通知内容まとめて、最適な要請機関に正確な状況を通知することが可能なシステムである。
【図面の簡単な説明】
【００１６】
【図１】本発明の実施形態を示すシステムメインフロー図である。
【図２】本発明におけるホストコンピューターによる処理形態その１を示す図である。
【図３】本発明におけるホストコンピューターによる処理形態その２を示す図である。
【図１】
2007159074.tif 000003
【図２】
2007159074.tif 000004
【図３】
2007159074.tif 000005
(57)【要約】【課題】象眼において複雑な紋様を簡便に装飾する事ができない。多様な基底材に簡便に対応できていない。使われている材料の少なさにより表現の幅が限られている。従来の象眼が大量生産に適していない。【解決手段】樹脂塗料に材料を混合したものを溝に埋め込んだり、蒔きしめたのち、研ぎ艶上げすることにより、簡便に重厚感、高級感がのぞめる。樹脂を使って埋め込むだけであるため多様な基底材に使用が可能である。樹脂に混合する材料により多彩な表現が可能である。使用が簡便である。【特許請求の範囲】
【請求項１】
エボキシ系樹脂塗料、アクリル系樹脂塗料、ブチラール系樹脂塗料、シリコン系樹脂塗料などの合成樹脂や、各種天然樹脂などを顔料で望む色調にする、透明色不透明色は用途に応じて顔料との配合比を替える。ほかに、金属、硝子、プラスチック、石材、蓄光材等、などを樹脂に混合したり蒔きしめたりする。これらを硝子、陶磁器、石材、木材、金属、など各種エングレイブ可能な物質をエングレイブしたものそれぞれの紋様の溝に埋め込む。また、硝子、陶磁器、金属、石材、木材、などを型押しした紋様の溝にも埋め込む。しかるのちよく乾燥させる。十分乾燥したこの象眼された紋様を研ぎ最後に艶上げして、象眼が完成する。
【発明の詳細な説明】
【技術分野】
【０００１】硝子、石材、金属、陶磁器、木材、その他エングレイブしたものの加飾のための技術
【背景技術】
【０００２】蒔絵、キンマ等漆芸の技術に天然樹脂を用いた象眼技術が存在する。漆芸として、艶上げの技術がある。エングレイブの技術として、サンドブラスト、レーザー、ドライポイント、腐食法、彫刻などがある。
【発明の開示】
【発明が解決しようとする課題】
【０００３】象眼において唐草紋様など複雑な紋様を簡便に装飾する事が困難である。多様な基底材、硝子、石材、金属、陶磁器、木材、などに簡便に対応できる共通技術がない。使う材料が限られており従来の表現では重厚感、高級感を出すのが簡便でない。従来の象眼が大量生産に適していない。
【課題を解決するための手段】
【０００４】樹脂塗料に金属、硝子、プラスチック、石材等の鉱物、を混合したものを溝に埋め込み研ぎ艶上げすることにより、簡便に重厚感、高級感がのぞめる。樹脂を埋め込むだけであるため、エングレイブもしくは型押しなどの可能な多様な基底材に使用することができる。樹脂に混合する材料により多彩な表現が可能である。使用が簡便であり、機械によるオートメーション化が可能であり、大量生産に適している。
【発明の効果】
【０００５】金属を象眼するに、蒔絵技術を応用することにより、簡便に行う事が出来る。樹脂に金属を蒔きしめ、その後艶上げをすることにより、常温で金属象眼を行う事が出来る。さまざまな材料、例えば、砕いた石、硝子粉、顔料を用いることにより簡便に重厚感、高級感をだし、宝石のような美しさがだせる。エングレイブできるものなら広範囲に応用できる。樹脂ゆえに耐摩耗性、耐候性、耐薬品性、耐水性、硬度などが優れたもの、もしくは適したものを選択できる。
【発明を実施するための最良の形態】
【０００６】基底材である石、硝子、金属、木、プラスチックなどを型押し、または彫ったものを準備し、これに耐光性、耐候性に優れた樹脂に金属、硝子、顔料などを含んだものを埋め込み、よく硬化させた後、基底材の表面と平滑に研いで仕上げる。必要に応じて艶上げを行う。
【実施例】
【０００７】石材に、金属を埋め込む場合。石材の彫られた、文字とか紋様に、樹脂を充填し金属粉を蒔きしめる。よく乾燥させのち、表面を平滑に研ぎ、艶上げを行い仕上げとする。
(57)【要約】【課題】  本発明は、斜めに積層された複数の名刺が収納することができる収納部から、簡単な操作により必要に応じて一枚づつ取り出せ、受け取った名刺を入れる収納部を設けた、取り出しやすい名刺入れを提供する。【解決方法】  複数の名刺を斜めに積層状態に収容することができる収容部を持った名刺入れで、その名刺入れの底面の中心部上部に名刺を押し上げる切込みを設け、その押上げ部を指で上方向に押し上げ名刺を上に反らし取り出しやすくし、他の指で名刺を上方向に１枚だけ押しだし、容易に名刺を取り出せ、又蓋部に受け取った名刺を収納する収納部を設けたことを特徴とする取り出しやすい名刺入れ。【選択図】図１
2007331361.tif 000002
【特許請求の範囲】
【請求項１】
蓋付きの名刺入れで、複数の名刺を積層状態にして収納する箱状の収納部を設けた名刺入れであって、その収納部の容器の上部・下部の斜めの移動板により複数の名刺は斜めに収納された名刺入れを形成し、底面の中心部上側に名刺を押し上げる切込みを設け、収納部上側立ち上部に名刺を取りやすくする切り込みを設けた、取り出しやすい名刺入れ。
【請求項２】
箱状の名刺入れで、斜め積層状態に収納されている収納部の底面の名刺押し上げ部を指で上方向に押あげることで、名刺が１枚、上方向に反った状態で押し出され、カット部で取り出しやすい構造にした請求項１記載の取り出しやすい名刺入れ。
【請求項３】
名刺収納部に名刺を斜め積層状態に収納した事を特徴とする請求項１〜２記載の取り出しやすい名刺入れ。
【請求項４】
蓋の部分に受け取った名刺を入れる収納部を設けた請求項１〜３記載の取り出しやすい名刺入れ。
【発明の詳細な説明】
【技術分野】
【０００１】  本発明は、名刺入れから、名刺を１枚づつ確実に取り出せる名刺入れに関する。
【背景技術】
【０００２】  従来、名刺入れは樹脂製、皮製、布製等の財布タイプの名刺入れとアルミ製の名刺入れ等各種あるが、すべて名刺を収納する収納部と蓋部から構成され、その蓋部を開けて多数の名刺の中から１枚づつ取り出しているが、同時に複数枚一緒に取り出すこともあり、その中から１枚を相手に差し出すと同時に相手からも名刺をもらうのが一般的である。近年１枚づつ取り出せるいろいろの構造の名刺入れが出始めている。
【特許文献１】  特許３５６６２４９号公報。
【特許文献２】  特開２００１−２６１０７９号公報
【発明の開示】
【発明が解決しようとする課題】
【０００３】それには次のような問題点があった。
従来の名刺入れは名刺を収納する収納部と蓋部からなり、蓋を開けると数十枚の名刺が収納されており、名刺を一枚ずつ取り出せず２〜３枚同時に取り出し、その上の１枚を取り出し、相手に渡し、相手からも名刺をもらうのが普通である。構造が簡単で名刺を１枚づつ確実に取り出せる名刺入れは少ない。【０００４】  本発明は、上述した従来の問題点を解決するものであり、その目的は指で収納部の底の切り込みを上に押す事であらかじめ名刺数十枚を斜めに収納した構造の名刺入れの名刺を上に押し上げ、上に反らした状態から１枚を的確に取り出せる名刺入れを提供するものである。
【問題を解決するための手段】
【０００５】  蓋付きの長方形の名刺が入る大きさの名刺入れ本体１を設け、本体の底面に名刺を押し上げる切込み２を本体１の底面中心部上部に設け、本体１の上面下部に名刺ポケット６を設け、その一部半円形の前方向に移動口５を設ける。そして本体の上部に切り込み窓口４と移動板３を斜めに設け、本体１の名刺ポケット６の下部に滑り止め加工１３をした移動板７を斜めに取り付ける。又、本体１の底面左側にマグネット留め具受８を設ける。これにより名刺押し上げ切り込を指で押し上げ、移動板３又は移動板７により斜め積層状態の名刺の一番上の名刺が上方に反るため、簡単に１枚取り出せる。他方、蓋の裏側に受け取った名刺入れ９を設け、その名刺入れ９の上部に取り出しやすいカットを入れる。名刺入れの両サイドには伸び縮みする布１４で名刺を押え、蓋の中心部外側に入れ物止め１１とマグネット止め具１２を設ける。以上を特徴とする取り出しやすい名刺入れ。
【発明の効果】
【０００６】  二つ折りの名刺入れで、名刺収納部の中の名刺を確実に１枚取り出すために、収納部の前後に斜めに移動板を設けたことにより、取り出しやすくするため斜めの積層構造に収納されており、底部の切込みを指で押しこむことで、名刺が収納部から上に反った状態になるため１枚だけつかみ容易に取りやすくなる効果が大いに期待できる。
【発明を実施するための最良の形態】
【０００７】  以下、本発明の実施の形態を説明する。
（イ）折りたたみ式で蓋付きの長方形の箱型で名刺を複数収納できる収納部本体１を設ける。
（ロ）その収納部の上部移動板３と下部移動板７を斜めに取り付ける。
（ハ）箱型の収納部、底面上部に名刺押し上げ切り込み２を設ける。
（ニ）箱型の収納部上部立ち上げ部に切り込み窓口４を設ける。
（ホ）箱型の収納部に一部を円形に欠いた、前方向へ移動口５の名刺ポケット６を設ける。
（ヘ）箱型の収納部の底面中央部片側にマグネット留め具受８を設ける。
（ト）蓋の裏側に相手から受け取った名刺入れ９を設け、その上部の一部を名刺が取り出しやすくカット１０する。
（チ）蓋の中心部外側に入れ物止め１１を設け、その入れ物止めに、マグネット止め具１２を取付ける。
（リ）受け取った名刺入れ９は両サイド伸び縮みする布で入れた名刺を抑える１４を設ける。
本発明は、以上のような構成よりなっている。
【産業上の利用可能性】
【０００８】  構造が簡単で、名刺交換時に容易に１枚ずつ名刺を取り出せ、慌てずに名刺の交換が可能になり産業上利用価値はある。
【図面の簡単な説明】
【０００９】
【図１】本発明の開いた斜視図
【図２】本発明の正面図
【図３】本発明の底面図
【図４】本発明の右側面図
【図５】本発明の正面断面図
【図６】本発明の蓋をした斜視図
【符号の説明】
【００１０】１    本発明の本体
２    名刺押し上げ切り込み
３    移動板（上部）
４    切り込み窓口
５    前方向へ移動口
６    名刺ポケット
７    移動板（下部）
８    マグネット留め具受
９    受け取った名刺入れ
１０  取り出しやすくカット
１１  入れ物止め
１２  マグネット止め具
１３  （７）の移動板にスベリ止め加工
１４  両サイド延び縮みする布で、入れた名刺を抑える
【図１】
2007331361.tif 000003
【図２】
2007331361.tif 000004
【図３】
2007331361.tif 000005
【図４】
2007331361.tif 000006
【図５】
2007331361.tif 000007
【図６】
2007331361.tif 000008
(57)【要約】【課題】  従来使用されている黒板昇降装置は重量のバランスを採るのにバネを直接使用しているので、大幅にバランスを調節するにはバネの変位量を大きくする以外に方法が無く、その為バネが伸び過ぎてバネ材の許容応力を越す荷重が掛かり使用に耐えられない。又、黒板を任意の高さに留める為にバンドブレーキを使用しているのでブレーキワイヤが他の部分に絡む事がある。【解決手段】  本発明では許容応力の範囲が広いトーションバネとかたつむり形のスパイラルホイルを組み合わせる事により幅広いバランス調節ができ、更に機構、形がシンプルな為搬送や工事、作業が極めて容易である。又特許請求の範囲には含めては居ないがバンドブレーキは使用せずリンクブレーキを使用しているので前項の様なトラブルは無い。【選択図】図１
2007331366.tif 000002
【特許請求の範囲】
【請求項１】
黒板等を昇降させる装置において重量をバランスさせどの高さに於いても黒板等が静止させる方法として、トーションバネとかたつむり形のスパイラルホイルを組合せて黒板等の重量によるトルクとバネの応力によるトルクをバランスさせる事が出来る様にした黒板昇降装置
【請求項２】
「請求項１」に於いて黒板等の重量に大幅な差違が有る場合でもバネの許容応力範囲が広いトーションバネとウオームギアを使用する事により対応し幅広い調節を可能にした黒板昇降装置
【発明の詳細な説明】
【発明の詳細な説明】
【技術分野】
【０００１】  本発明は、学校等に装備する黒、白板の昇降装置の合理化及び利便化に懸かる。
【背景技術】
【０００２】  従来の黒板昇降装置は手動のものにあっては黒板の重量バランスを採るのに直接引張りバネを使っており、バネの変位による引張力の変動に対するバランス調節は図４に示す様にクレセント形の円盤にチェーン等を巻き付けて行っているが、装置の設置スペースを小さくする為バネの径や長さが限定される。引張りバネの場合変位のみで大幅に重量バランスを調節するにはバネ材の許容応力範囲内では不可能である。【０００３】  然るに黒板の重量はサイズにより大幅に異なり、又、同じサイズでも黒板の種類（木材、磁気帯び加工、金属表装等）に依って異なる事が多い。従って一定範囲を越えた調節はバネを交換するしかなく現場での作業は一旦黒板を外したり一部装置を分解する等かなり手間がかかる。【０００４】  又、黒板の上下動を停止させた際位置を安定させる為のブレーキはバンドブレーキを使用しておりブレーキと操作ハンドルはブレーキワイヤで結ばれていてこれがチェーンその他の部分に触れトラブルの原因になる事が多く寿命も短い。【０００５】  動力を使った装置では前４段の問題はすべて解消されるがコストが高い為現場では余り望まれないのが現状である。
【発明が解決しようとする課題】
【０００６】  黒、白板の大きさや材質のばらつきに依る重量の大幅な差違、表装換えに依る重量の変動対していちいちバネを取り替えたり装置の組み替えをする事なくワンタッチで幅広く対応出来る様にする事が第一、次いで形をシンプルにし現場での組立を容易にし、操作上のトラブルを最小限にとどめる事にある。
【課題を解決する為の手段】
【０００７】  本発明では引張りバネに替わりトーションコイルバネ（捻りコイルバネ）を使用し、バネの応力の増減に対するトルクの調節はかたつむり形のスパイラルホイルを以て行うので形が極めてシンプルになり操作上のトラブルも無い。
【０００８】  トーションコイルバネは引張りバネに比し弾性係数が約２．５倍と大きく、それに従って応力の範囲も大きい。ちなみに引張りバネの場合横弾性係数は７８，０００Ｎ／ｍｍ２，トーションバネは縦弾性係数で２００，０００Ｎ／ｍｍ２以上である。
【発明の効果】
【０００９】  本発明によって教室等に装備された黒板の上下操作の際大幅なバランス調節が容易で、黒板の重量に大きいばらつきが有ったり、黒板の更新や表装換えに依る重量変化や長期に亘る使用によってバネの張力が減衰した場合でもバランス用のバネを取り替える事無くこれに対応出来る。従ってこれらの対応にいちいち黒板を外したり装置を分解する必要が無い。
【００１０】  又、バネの小型化やバネに依る装置フレームへの力の影響が無い為に装置の軽量化が出来て学校等の上層階に設置する際の運搬が容易になり、現場での設置工事、作業が合理化され経済的効果が多大である。
【発明を実施する為の最良の形態】
【００１１】  本発明の実施形態を図１〜図３に基づいて説明する。図１において１は４〜１２で構成される重量バランス調節機構等を内蔵する装置フレームで２は黒板等を装着するための黒板フレーム、３は上下の黒板フレーム２を連結すると共に黒板をスムーズに垂直動させる為のガイドスピンドルである。
【００１２】  図１は黒板が最上部に位置する状態を示しており、操作ハンドル１３を持って黒板を下げると下側の黒板フレーム２ａに固着しているワイヤ１２は図２で明らかな様にスパイラルホイルから巻き戻される。ワイヤが巻き戻されると力点はホイル径の大きい方に移動し、それに従って軸６に掛かるトルクが大きくなる。
【００１３】  軸の回転と共にバネ掛け円板５ａも回る。片方のバネ掛け円板５ｂはウオームホイル９に固着しておりウオーム１０を回転させない限り回らない。従って黒板を下げる事によりトーションバネ４は捻られて応力を増して行く。かたつむり形のスパイラルホイルの溝はトーションバネの応力特性に相関して彫られている。
【００１４】  黒板等の重量が変わった場合ウオーム下端の六角を回してバネの応力を調節する。
【００１５】  黒板等を上下させる度にワイヤは巻き取り、巻き戻しを繰り返しトルクの力点が前後左右に移動する為図２に示す様にワイヤのガイドシーブ８を設けてワイヤの貫通位置を安定させる。１１は軸受、１４は黒板フレーム２を上下させる時の緩衝バネである。
【図面の簡単な説明】
【００１６】
【図１】  本発明に懸かる装置で黒板等を装着する前の装置図
【図２】  かたつむり形スパイラルホイルの拡大図
【図３】  ウオームホイル、バネ掛け円板、軸及びバネの関係を示す図面
【図４】  従来から使用されている代表的な機構図
【図１】
2007331366.tif 000003
【図２】
2007331366.tif 000004
【図３】
2007331366.tif 000005
【図４】
2007331366.tif 000006
(57)【要約】【課題】これまでのボールペンは、円筒状の軸をグリップするかあるいは指への刺激を少なくするためにラバーなどでソフト化したものをグリップする方法が取られてきた。  しかし、円筒状の軸は左右ローリングしやすく不安定であった。従って漢字のような横線や画・ハネなどの多い和文字には３本の指への負担が大きかつた。  また、指への適度の刺激は必要であるのにソフト化はそれをそいでしまうため、ペン先と一体化した指先への集中力がなくなり、逆にイライラの原因を造りだしていた。  この発明は、これらの課題を解決するために提供するものである。【解決手段】本体軸（１）の人差し指押え部（４）にリング（５）を設け、それに指がフィットする凹み弧形状（６）を形成する。【選択図】図１
2007331363.tif 000002
【特許請求の範囲】
【請求項１】
人差し指押え部（４）の横断面が、凹み弧形状（６）を形成するローリング防止ボールペン。
【発明の詳細な説明】
【発明の詳細な説明】
【産業上の利用分野】
【０００１】  この発明は、ボールペンの人差し指押え部にリングを設けて、凹み弧形状を形成し人差し指の腹と一体化させ、軸のローリングを防止するために発明されたものである。
【背景技術】
【０００２】  従来、ボールペンは円筒状の軸をグリップするか、それをラバーで被覆し滑り止め小穴やしわの凹凸を形成してグリップする方法が行なわれていた。
【発明が解決しょうとする課題】
【０００３】  しかし、円筒状の軸を人差し指の押え面とする方法ではラバーなどで被覆したとしても、グリップの方法としては不安定で根本的な解決策にはならなかった。
この方法は、アルファベットや算用数字といった縦方向の文字には安定していて適しているが、左右にローリングし易いので漢字のような横線や画・ハネなどの多い和文字には不安定のため、強いグリップが要求されて適していなかった。
また、最近のラバーグリップなどによるソフト化は、指先に必要とされる適当な刺激もなくし、神経を指先にむりやり集中し続けるため、イライラの原因をつくっていた。
【課題を解決するための手段】
【０００４】  本体軸（１）の人差し指押え部（４）にリング（５）を設け、そこに指の腹がフィットする凹み弧形状（６）を形成する。
【発明を実施するための最良の形態】
【０００５】  本体軸（１）の人差し指押え部（４）にリング（５）を設け、リング（４）の内側に指の腹にフィットする凹み弧形状（６）を形成する。
【発明の効果】
【０００６】これには次のような効果がある。
（イ）リングの内側は３６０度従来の円筒軸とは正反対の面を形成していて、左右のローリングや上下の滑りを防止する効果がある。
（ロ）ペン先（３）と指先がリング（５）で一体化しているので、和文字のような複雑な文字を書くにも正確にしかも丁寧に書ける。
（ハ）リング（５）の形状が人差し指の腹の神経を心地よく刺激し続けるので、ペン先に無意識に集中力が高められ、イライラの原因を防止する。
（ニ）ローリングが防止されることにより、他の２本の指へのグリップ力負担が軽減される。
【図面の簡単な説明】
【図１】  本発明の斜視図である。
【図２】  本発明のＡーＡ′断面図である。
【図３】  本説明の同効果の実施例を示す。
【符号の説明】
１は本体軸
２はラバーグリップ
３はペン先
４は人差し指押え部
５はリング
６は凹み弧形状
【図１】
2007331363.tif 000003
【図２】
2007331363.tif 000004
【図３】
2007331363.tif 000005
(57)【要約】      （修正有）【課題】従来の竹ペンはインク溜りの量が少なくインク補給を頻繁に行わなければならなかった。加えてペン先はペン軸と同体であるため、ペン軸の素材に他のものを使用できず、又消耗品である竹ペンのペン先を交換することができなかった。【解決手段】竹ペンのペン先にインク溜りを設ける。  インク溜りは例えば、ペン先に使用している竹の表皮を剥離させて設けた隙間である。  ペン先を交換できるようにするためにペン先はペン軸への差し込み式とする。【選択図】図１
2007331364.tif 000002
【特許請求の範囲】
【請求項１】
竹ペンのペン先部分にインク溜りを設けたことを特徴とする竹ペン。
【請求項２】
前記竹製ペン先のインク溜りは竹の表皮の部分をペン先の本体から一部剥離させて設けた隙間であることを特徴とする請求項１記載の竹ペン。
【請求項３】
竹製のペン先はペン軸への差し替え式としペン先交換を可能とする竹ペン。
【発明の詳細な説明】
【技術分野】
【０００１】  この発明は、筆記具として用いる竹ペンの形状に関する。
【背景技術】
【０００２】  自然素材ならではの書き味を持つ従来の竹ペンの形状は図２に示す様にペン先とペン軸が一体となった物であり、ペン先の中程にインクを貯留する為の（ホ）（ヘ）の穴があけられている。
【発明の開示】
【発明が解決しようとする課題】
【０００３】しかしながら、以上の技術によれば、インクを貯留できる量は極めて少量であり筆記する際にはわずらわしいインク補給を頻繁に行わなければならなかった。又、ペン先とペン軸が一体である為、ペン軸の形状には制限があった。尚且つ、ペン先は消耗品でありながら、交換できないという点があった。そこで、この発明は、１回のインクの補給での筆記量を増やし、加えてペン先の交換可能な竹ペンを提供することを課題とする。
【課題を解決するための手段】
【０００４】  以上の課題を解決するために、第一発明は、竹ペンのペン先にインク貯留の隙間を設けたことを特徴とする竹ペンである。
第二発明は、ペン先のインク貯留の隙間はペン先に使用されている竹と同体である竹の表皮の部分を剥離させて設けた隙間であることを特徴とする竹ペンである。
第三発明は、竹製のペン先をペン軸への差し替え式とし、ペン先の交換可能を特徴とした竹ペンである。
【発明の効果】
【０００５】  第一発明、または第二発明によれば竹製のペン先にインク貯留のための隙間を設けたので１回のインクの補給での筆記量を増やすことができる。加えて第三の発明によれば竹製のペン先をペン軸に差し込み式としペン先を交換可能とすることでペン軸の素材、形状が自由に選択できるものとなるため、良く手に馴染んだペン軸を竹ペンのペン先の寿命に関係なく永く愛用することができる。
【発明を実施するための最良の形態】
【０００６】  この発明の一実施形態を、図１に示す。
竹ペンのペン先の本体１は竹製である。
この発明の一実施形態を解りやすくするために前記本体１を真横から見たものを図３に示す。
図３の（イ）はペン先本体１より剥離させた竹の表皮である。
イは図３に示すように変形させることにより隙間（ロ）を作る。
この隙間（ロ）がインク溜りとなるものである。
図３の（ハ）はペン先本体１を差し替え式とするための差し込み軸である。
図３の（２）はペン軸であり、前記の差し込み軸が差し込まれる穴（二）が設けられている。【０００７】「実施形態の効果」
この実施形態によれば、ペン先本体１に設けた隙間（ロ）の働きでインクの補給量が増し、その効果として１回の補給による筆記量が増す。したがって筆記している際にわずらわしいインク補給の回数を格段に減らすことができる。加えてこの実態形態によれば竹ペンのペン先が付け替え式になっているので竹ペンのペン先が使用不能になった後にも、使用可能なペン先と交換することで良く手に馴染んだペン軸を永く愛用することができる。ペン軸の素材、形状は自由度を増し、使用者の好みに合せたものが使用できる。【０００８】「他の実施形態」
図１の実施形態では、インク溜りは竹の表皮を一部剥離させて設けているが全く別の素材で同形状のものを取り付けたものでも良い。
図３（ハ）のペン軸に差し込む部分は図２の実施形態ではペン先と同体の竹の部分を加工したものであるが、別の素材で加工したものを取り付けたものでも良い。
【図面の簡単な説明】
【０００９】
【図１】この発明の一実施形態を示す斜視図である。
【図２】従来技術を示す斜視図である。
【図３】この発明の一実施形態を示す断面図である。
【符号の説明】
【００１０】  １  竹製ペン先本体
２  ペン軸
イ  インク溜りを設けるための竹の表皮
ロ  インク溜りとなる隙間
ハ  差し込み軸
二  差し込み穴
【図１】
2007331364.tif 000003
【図２】
2007331364.tif 000004
【図３】
2007331364.tif 000005
(57)【要約】【課題】巻き取り側から引っ張られる線材の速度に追従させることなく、線材のテンションを一定に保つ。【解決手段】テンション装置１は、ロープ２が巻回されたボビン３が嵌挿されたボビン軸３ａを回転駆動するサーボモータ４と、ロープ２のテンションを測定するテンション測定機６と、サーボモータ４に供給される電流を制御するコントローラ１０とを有している。テンション装置１では、テンション測定機６によって実テンション値を測定し、トルク制限制御にフィードバックして、ロープ２にかかるテンション値が目的のテンション値になるように制御される。【選択図】図１
2007331862.tif 000002
【特許請求の範囲】
【請求項１】
巻取手段によって巻き取られる線材を巻き付けたボビンを回転駆動するサーボモータと、
前記サーボモータに供給される電流を変更することで、前記ボビンに加わるトルクを制御するトルク制御手段とを備えていることを特徴とするテンション装置。
【請求項２】
前記ボビンから送り出された線材のテンションを測定するテンション測定手段をさらに備えており、
前記トルク制御手段は、前記テンション測定手段での測定結果に基づいて、前記サーボモータに供給される電流を変更することを特徴とする請求項１に記載のテンション装置。
【発明の詳細な説明】
【技術分野】
【０００１】
本発明は、線材が巻き付けられたボビンから送り出された線材を一定のテンションで巻き取る際に用いられるテンション装置に関するものである。
【背景技術】
【０００２】
糸ハンダが巻回されたハンダスプールから送り出された糸ハンダを一定のテンションで巻き取る巻取装置には、テンション調節手段を有するものがある（例えば、特許文献１参照）。この巻取装置では、糸ハンダが巻き取られるボビンがスピンドルモータで回転することで、ハンダスプールから糸ハンダが送り出される。そして、ハンダスプールから送り出された糸ハンダはアームの両端に取り付けられた回動自在な一対のプーリに掛け回されており、そのアームの変位がアーム位置検出装置で検出される。糸ハンダの巻き取りが開始され、アームに掛け回された糸ハンダのテンションが変動すると、アーム位置検出装置で検出されたアームの変位量がテンション制御装置にフィードバックされる。その後、テンション制御装置からアームの変位量が出力された巻取制御装置は、アームの変位が元に戻るように、ハンダスプールに装着された繰出モータの回転速度を変更する。このようにして、糸ハンダの繰出テンションが変更されることで、アームの位置が正規の位置に戻り、糸ハンダのテンションが常に一定に保たれる。
【特許文献１】特開平９−１９２７３３号公報
【発明の開示】
【発明が解決しようとする課題】
【０００３】
しかしながら、この巻取装置では、巻き取り側から引っ張られる糸ハンダの速度に追従させるように、糸ハンダを繰り出す制御を行いながら糸ハンダのテンションが一定に保たれるので、巻き取り側から引っ張られる糸ハンダの速度に追従させる制御機構が必要になる。
【０００４】
そこで、本発明の主な目的は、巻き取り側から引っ張られる線材の速度に追従させることなく、線材のテンションを一定に保つことができるテンション装置を提供することである。
【課題を解決するための手段および発明の効果】
【０００５】
本発明のテンション装置は、巻取手段によって巻き取られる線材を巻き付けたボビンを回転駆動するサーボモータと、前記サーボモータに供給される電流を変更することで、前記ボビンに加わるトルクを制御するトルク制御手段とを備えている。
【０００６】
本発明のテンション装置では、前記ボビンから送り出された線材のテンションを測定するテンション測定手段をさらに備えており、前記トルク制御手段は、前記テンション測定手段での測定結果に基づいて、前記サーボモータに供給される電流を変更してもよい。
【０００７】
この構成によると、テンション測定手段で線材のテンションの変動を測定し、サーボモータのトルク制限制御にフィードバックすることでボビンに加わるトルクが制御され、線材のテンションが一定に保たれる。従って、巻取手段で引っ張られる線材の速度に追従させる制御機構が不要になる。
【発明を実施するための最良の形態】
【０００８】
以下、本発明の実施の形態について、図面を参照しつつ説明する。図１は、本発明の実施の形態に係るテンション装置の概略図である。
【０００９】
図１に示すテンション装置１は、ロープ２が巻回されたボビン３が嵌挿されたボビン軸３ａを回転駆動するサーボモータ４と、複数のガイドローラ５と、ロープ２のテンションを測定するテンション測定機（ロードセル）６と、サーボモータ４に供給される電流を制御するコントローラ１０とを有している。
【００１０】
コントローラ１０は、ボビン軸３ａに直結したサーボモータ４のトルク制御を用いてロープ２のテンション制御を行う。つまり、コントローラ１０は、ロープ２が引っ張られるときの引っ張られる力を制御する。そのため、ロープ２がどのような速度で引っ張られても、トルクのみを制御するトルク制限制御であり、速度に関する制御を行う必要がない。また、トルク制限制御には各種信号を高速に処理するコントローラが用いられる。
【００１１】
また、ロープ２を巻き取っていくと、ボビン３に巻かれているロープ２の状態が変化し、ロープ２の巻き径が変化することによるテンション値の変化が現れる。テンション装置１では、これをテンション測定機６によって実テンション値を測定し、トルク制限制御にフィードバックして、ロープ２にかかるテンション値が目的のテンション値になるように制御される。
【００１２】
サーボモータ４には、サーボ内部的な制限値である速度制限値が設定される。サーボモータ４のトルク制御では、トルク制御信号と速度制御信号を入力し、速度制御信号によって速度制限値を決める。速度制限値を設定するだけで、速度制限値を変更することなく、速度に関する制御を行う必要がなく、外部の影響により速度制限値を超える回転数で回された場合であっても、影響なくロープ２が引き出される。そのため、ロープ２がどのような速度で引き出されても、ロープ２の速度を考慮することなく（速度制御をすることなく）、サーボ１軸でロープ２のテンション値を一定に保つことができる。
【図面の簡単な説明】
【００１３】
【図１】本発明の実施の形態に係るテンション装置の概略図である。
【符号の説明】
【００１４】
１  テンション装置
２  ロープ
３  ボビン
４  サーボモータ
５  ガイドローラ
６  テンション測定機（ロードセル）
１０  コントローラ
【図１】
2007331862.tif 000003
(57)【要約】【課題】  キッチン用の袋（ビニール袋や三角コーナー袋、排水溝ネット）をふきんかけ棒を利用し収納し、使い易くする為のキッチン用袋収納ネットを提供する。【解決手段】  ふきんかけ棒に取り付けられる様に、袋状のネットの上部分に棒に通す輪を設け、袋状のネットの中央上部分にビニール袋を入れる為のポケットを設け、下部分にビニール袋の取り出し口を設ける事を特徴とする、キッチン用袋収納ネット。【選択図】図１
2007331835.tif 000002
【特許請求の範囲】
【請求項１】
ふきんかけ棒に取り付けられる様に、袋状のネットの上部分に棒に通す輪を設け、袋状のネットの中央上部分にビニール袋を入れる為のポケットを設け、下部分にビニール袋の取り出し口を設ける事を特徴とする、キッチン用袋収納ネット。
【発明の詳細な説明】
【技術分類】
【０００１】  本発明は、キッチン用の袋類（ビニール袋、三角コーナー袋、排水溝ネットなど）を収納し使い易くする為の、キッチン用袋収納ネットに関するものである。
【背景技術】
【０００２】  従来は、キッチン用の袋類をコンパクトに収め、取り出し易く使い易く、収められる収納グッズはなかった。
【発明の開示】
【発明が解決しようとする課題】
【０００３】  そのために次のような問題点があった。
キッチン用の袋類は、キッチンの引き出しや棚などにしまわれ、料理の際に使う時など、いちいち引き出しや棚から取り出さなければならず、面倒な部分があった。
本発明は、以上の問題点を解決するためになされたものである。
【課題を解決するための手段】
【０００４】  ふきんかけ棒に取り付けられる様に、袋状のネットの上部分に棒に通す輪を設け、袋状のネットの中央上部分にビニール袋を入れる為のポケットを設け、下部分にビニール袋の取り出し口を設ける。以上を特徴とするキッチン用袋収納ネットである。
【発明の効果】
【０００５】  キッチン用の袋類を、ふきんかけ棒に取り付け収納する事により、調理の際などにもビニール袋を直ぐに取り出し易く使い易くなり、又見た目にもコンパクトにすっきりと収納出来るようになる。
【発明を実施するための最良の形態】
【０００６】  以下、本発明の実施の形態について説明する。
（イ）袋状のネット（１）の上部分に、ふきんかけ棒（２）に取り付ける為の輪（３）を設け、中央上部分にビニール袋（４）を収める為のポケット（５）を設け、下部分にビニール袋（４）の取り出し口（６）を設ける。
本発明は以上のような構造で、これを使用する時は、ふきんかけ棒（２）にネット（１）の上部分に設けた輪（３）を通し、ポケット（５）部分から２つ折りにした、ビニール袋を入れ（２つ折りに折り返した輪部分が下に来る様に入れる）、取り出し口（６）から、ビニール袋（４）を引っぱり、取り出して使用する。
【図面の簡単な説明】
【０００７】
【図１】本発明の斜視図
【図２】本発明の使用状態を示す側面図
【符号の説明】
【０００８】      １  ネット
２  ふきんかけ棒
３  輪
４  ビニール袋
５  ポケット
６  取り出し口
【図１】
2007331835.tif 000003
【図２】
2007331835.tif 000004
(57)【要約】      （修正有）【課題】市販されている封筒よりも開封が簡単にでき、事務処理が能率的な封筒を提供する。【解決手段】（１）封筒の折目より５ｍｍ上に上下２列に切目をミシン目状態に、間は２．２ｍｍ開ける。（２）封筒の裏側から見て２列の切目左右端に取りやすくする為に切目（つまみ部分）を少し入れる。（３）切目の上下の間に巾２ｍｍの糊のついたアルミ箔テープを貼る。（４）縦書き、横書きの郵便封筒いずれも共通使用とする。【選択図】図１
2007331836.tif 000002
【特許請求の範囲】
【請求項１】
郵便封筒のふたの部分上下２列に切り目をミシン目状態につけたことを特徴とするらくらく郵便封筒。
【請求項２】
前記の切り目の間にさらにアルミ箔テープを貼る事によって簡単に開封しやすいことを特徴とする請求項１記載の郵便封筒。
【発明の詳細な説明】
【技術分野】
【０００１】  この発明は、手紙、文書を郵送する封筒に関する。
【特許文献１】
【非特許文献１】
【背景技術】
【０００２】  市販されている郵便封筒の形状は、図３に示すように、封筒がのり付けされているので開封しにくい。
【発明の開示】
【発明が解決しようとする課題】
【０００３】しかしながら、以上の技術によれば、特に何通もの封筒が来る場合ハサミ又はカッターで切らなければならない為手間がかかります。
そこで、この発明は、日に何通もの封筒が来ても簡単に開封できる封筒を提供することを課題とする。
【課題を解決するための手段】
【０００４】  以上の課題を解決するために、第一発明は、ふたの折目部分から上に５ｍｍあけて上下の切り目又アルミ箔テープを設けたことを特徴とする郵便封筒である。
また、第二発明は、裏から見て左右端の部分開口に切り目（つまみ部分）がある為、特に開けやすいことを特徴とする郵便封筒である。
【発明の効果】
【０００５】  第一発明、または第二発明によれば、郵便封筒の開封が簡単にでき便利が良い。
【発明を実施するための最良の形態】
【０００６】  この発明の一実施形態を、図２−２に示す。
郵便封筒ふたの折り目部分から５ｍｍ上に、上下２段に切目をミシン目状態に入れ、さらにアルミ箔テープを貼ってある為開けやすい。【０００７】「実施形態の効果」
この実施形態によれば、図２、４の部分にアルミ箔テープを貼ってある為開封しやすい。
【産業上の利用可能性】
【０００８】
【０００＊】
【図面の簡単な説明】
【０００９】この発明の一実施形態を示す封筒の裏面図を示したものです。
【図１】この発明の一実施形態を示す封筒の裏面図である。
【図２】この発明の実施形態を示す。
【図３】従来市販されている封筒図面。
【符号の説明】
【００１０】１  封筒の裏面図である郵便封筒本体。
２  折目から５ｍｍ上に切目をミシン目状態に２列に入れる。
３  裏面から見て左右端に切目を入れる。（開けやすくする為のつまみ部分）
４  上下切目の間にアルミ箔のテープを貼る。
【図１】
2007331836.tif 000003
【図２】
2007331836.tif 000004
【図３】
2007331836.tif 000005